(57)【要約】【課題】排紙トレイに出力するタイミングを考慮して、より効率的にセキュア排紙トレイを使用することを可能とする。【解決手段】印刷物出力装置と離間して配置された通信可能な操作機器からの出力指示に従って、印刷物出力装置が有する施錠・解錠可能なセキュアトレイに印刷物を出力する印刷物出力システムであって、印刷物出力装置と操作機器とを含むエリアを撮像する撮像装置と、操作機器から印刷物の出力指示を受信した場合に、撮像装置が撮像した画像データを用いて、出力指示を行ったユーザと印刷物出力装置との位置関係が所定の関係にあるか否かを判定し、両者が所定の関係にあると判定した場合に、印刷物を施錠されたセキュアトレイに出力する制御部と、を備える。【選択図】図１
2020116865.tif 000002
【特許請求の範囲】
【請求項１】
印刷物出力装置と離間して配置された通信可能な操作機器からの出力指示に従って、前記印刷物出力装置が有する施錠・解錠可能なセキュアトレイに印刷物を出力する印刷物出力システムであって、
前記印刷物出力装置と前記操作機器とを含むエリアを撮像する撮像装置と、
前記操作機器から前記印刷物の出力指示を受信した場合に、前記撮像装置が撮像した画像データを用いて、前記出力指示を行ったユーザと前記印刷物出力装置との位置関係が所定の関係にあるか否かを判定し、両者が所定の関係にあると判定した場合に、前記印刷物を施錠された前記セキュアトレイに出力する制御部と、
を備えることを特徴とする印刷物出力システム。
【請求項２】
前記制御部は、前記ユーザが前記印刷物出力装置に対して決められた位置または範囲に移動したか否かを判定し、前記ユーザが前記印刷物出力装置に対して決められた位置または範囲に移動したと判定した場合に、前記所定の関係にあると判定する、
ことを特徴とする請求項１に記載の印刷物出力システム。
【請求項３】
前記制御部は、前記操作機器において前記ユーザを認証するための前記印刷物出力装置と無線通信可能な認証用媒体を用いて認証され、前記認証用媒体と前記印刷物出力装置の位置、あるいは両者の距離が、前記所定の関係にあると判定した場合に、前記印刷物を施錠された前記セキュアトレイに出力する、
ことを特徴とする請求項１に記載の印刷物出力システム。
【請求項４】
前記制御部は、センサを用いて前記セキュアトレイが空いているか否かを判定し、前記セキュアトレイが空いていないと判定した場合、前記印刷物の出力を待機させる、
ことを特徴とする請求項１に記載の印刷物出力システム。
【請求項５】
前記セキュアトレイには、前記印刷物の出力状態を知らせるための表示部が設けられている、
ことを特徴とする請求項１に記載の印刷物出力システム。
【請求項６】
前記セキュアトレイには、前記セキュアトレイの施錠・解錠状態を知らせるための表示部が設けられている、
ことを特徴とする請求項１に記載の印刷物出力システム。
【請求項７】
前記制御部は、前記操作機器において前記ユーザを認証するための認証装置を用いて認証された場合に、前記施錠されたセキュアトレイのロックを解除する、
ことを特徴とする請求項１に記載の印刷物出力システム。
【請求項８】
前記制御部は、前記認証装置により認証用媒体であるＩＣカードを読み取って前記ユーザを認証された結果が認証ＯＫの場合に、前記ロックを解除する、
ことを特徴とする請求項７に記載の印刷物出力システム。
【請求項９】
前記制御部は、前記認証装置により生体情報を読み取って前記ユーザを認証された結果が認証ＯＫの場合に、前記ロックを解除する、
ことを特徴とする請求項７に記載の印刷物出力システム。
【請求項１０】
前記セキュアトレイは、前記印刷物出力装置の操作部側とは異なる向きに引き出し可能である、
ことを特徴とする請求項１に記載の印刷物出力システム。
【請求項１１】
前記セキュアトレイは、複数のトレイを有し、
それぞれの前記トレイは、互いに異なる向きに引き出し可能である、
ことを特徴とする請求項１に記載の印刷物出力システム。
【請求項１２】
印刷物出力装置と離間して配置された通信可能な操作機器からの出力指示に従って、前記印刷物出力装置が有する施錠・解錠可能なセキュアトレイに印刷物を出力する印刷物出力システムで行われる印刷物出力方法であって、
撮像装置が、前記印刷物出力装置と前記操作機器とを含むエリアを撮像し、
制御部が、前記操作機器から前記印刷物の出力指示を受信した場合に、前記撮像装置が撮像した画像データを用いて、前記出力指示を行ったユーザと前記印刷物出力装置との位置関係が所定の関係にあるか否かを判定し、
前記制御部が、両者が所定の関係にあると判定した場合に、前記印刷物を施錠された前記セキュアトレイに出力する、
ことを特徴とする印刷物出力方法。
【請求項１３】
コンピュータに、
印刷物出力装置と離間して配置された通信可能な操作機器から、前記印刷物出力装置が有する施錠・解錠可能なセキュアトレイへの前記印刷物の出力指示を受信した場合に、前記印刷物出力装置と前記操作機器とを含むエリアを撮像する撮像装置が撮像した画像データを用いて、前記出力指示を行ったユーザと前記印刷物出力装置との位置関係が所定の関係にあるか否かを判定するステップと、
両者が所定の関係にあると判定した場合に、前記印刷物を施錠された前記セキュアトレイに出力するステップと、
を実行させることを特徴とする印刷物出力プログラム。
【発明の詳細な説明】
【技術分野】
【０００１】
本発明は、印刷物出力システム、印刷物出力方法、および印刷物出力プログラムに関する。
【背景技術】
【０００２】
近年、コンビニエンスストア等に、コピー機能、プリント機能及びスキャン機能等を備えたＭＦＰ(Multifunction Peripheral）等の画像形成装置が設置されている。また、画像形成装置を利用して、住民票やコンサートのチケット等の印刷が行なうことができるサービスも開始されている。そのため、画像形成装置の利用者が増えている。
【０００３】
また、１台の画像形成装置が、同時期に複数の利用者が操作端末を利用してコピー等の処理を受け付けることができる。これにより、画像形成装置の利用者が増えても、例えば、様々な利用者に対して、多様な支払い方法で利用でき、セキュアな排紙トレイに出力された印刷物を、サーバに保持されたユーザ情報で個人を特定し、印刷物を取り出す等の柔軟に対応することができる技術が開示されている（例えば、特許文献１）。
【発明の概要】
【発明が解決しようとする課題】
【０００４】
特許文献１では、セキュアな排紙トレイに出力された印刷物を、個人を特定して開錠することで、個人情報等、他者に見られたくない内容をセキュアに印刷し、印刷物を取り出している。しかし、排紙トレイに出力するタイミングが考慮されていないため、必ずしも複数のユーザで機器を効率的に使うことができない。
【０００５】
本発明は、排紙トレイに出力するタイミングを考慮して、より効率的にセキュア排紙トレイを使用することが可能な印刷物出力システムを提供することを目的とする。
【課題を解決するための手段】
【０００６】
本発明の一態様にかかる印刷物出力システムは、印刷物出力装置と離間して配置された通信可能な操作機器からの出力指示に従って、前記印刷物出力装置が有する施錠・解錠可能なセキュアトレイに印刷物を出力する印刷物出力システムであって、前記印刷物出力装置と前記操作機器とを含むエリアを撮像する撮像装置と、前記操作機器から前記印刷物の出力指示を受信した場合に、前記撮像装置が撮像した画像データを用いて、前記出力指示を行ったユーザと前記印刷物出力装置との位置関係が所定の関係にあるか否かを判定し、両者が所定の関係にあると判定した場合に、前記印刷物を施錠された前記セキュアトレイに出力する制御部と、を備えることを特徴とする印刷物出力システムとして構成される。
【発明の効果】
【０００７】
本発明によれば、排紙トレイに出力するタイミングを考慮して、より効率的にセキュア排紙トレイを使用することができる。
【図面の簡単な説明】
【０００８】
【図１】本実施例における画像形成装置を含む全体の印刷システムの構成を示す図である。
【図２】図１に示した印刷システムの画像形成装置、操作機器のハードウェア構成を示す図である。
【図３】排紙トレイの配置例を示す図である。
【図４】本実施例における印刷システムで行われる処理（印刷指示から印刷、トレイロックまで）の処理手順を示すフローチャートである。
【図５】本実施例における印刷システムで行われる処理（トレイロック解除、印刷物取出しまで）の処理手順を示すフローチャートである。
【発明を実施するための形態】
【０００９】
以下、添付図面を参照して、印刷物出力システム、印刷物出力方法、および印刷物出力プログラムの実施の形態を詳細に説明する。以下では、複数の操作機器（例えば、リモコン等のコントローラ、ＰＣ等の情報処理装置、スマートフォン等の携帯端末）により操作可能な画像形成装置において、画像形成装置本体の前でユーザが操作している状態で印刷物をセキュアな排紙トレイに出力する。これにより、複数のユーザが同時に操作部を操作して印刷物を画像形成装置から印刷した場合でも、その印刷物を任意のタイミングで受取ることが可能となる。また、画像形成装置とユーザの位置を認識することで、ユーザが画像形成装置に近づいた際に、当該ユーザの印刷物を画像形成装置から出力する。これにより、セキュアな排紙トレイを効率よく使用でき、より画像形成装置を効率的に使用することができる。
【００１０】
図１は、本実施例における画像形成装置を含む全体の印刷システム（印刷物出力システム）の構成を示す図である。以下では、ある特定のエリア内の離れた場所に配置された操作部（例えば、後述する操作機器１０３）と、当該操作部から受信したコマンドに基づいて印刷物の出力処理を行う用紙出力装置（例えば、後述する画像形成装置１０２）とを備えた印刷物出力システムの例として印刷システムを示している。
【００１１】
図１に示すように、印刷システム１０００は、撮像装置１０１と、画像形成装置１０２と、操作機器１０３とを有している。撮像装置１０１と画像形成装置１０２は、ネットワークＮ１で接続され、画像形成装置１０２と操作機器１０３は、互いに物理的に離間して配置され、ネットワークＮ１またはＮ２で接続されている。ネットワークＮ１は、ＷＡＮ（Wide Area Network）等の一般的な通信回線であり、ネットワークＮ２は、Ｗｉ−Ｆｉ等の一般的な無線通信回線を用いることができる。
【００１２】
撮像装置１０１は、例えば、店舗内に設けられたネットワークカメラであり、本システムを利用するユーザ、画像形成装置１０２（印刷物出力装置）、操作機器１０３を含むエリアを撮像する。図１では、撮像装置１０１がネットワークＮ１を介して画像形成装置１０２に接続されているが、ネットワークＮ１を介さずに、画像形成装置１０２と直接接続されてもよい。撮像装置１０１の撮像画像により、画像形成装置１０２、それぞれの操作機器１０３、ユーザを認識することができる。
【００１３】
画像形成装置１０２は、例えば、上記店舗内に設けられたＭＦＰであり、ユーザの操作を受け付けて種々の印刷物を印刷する。図１に示すように、画像形成装置１０２は、操作部１０２１と、排紙トレイ１０２２と、胴内排紙部１０２３とを有している。
【００１４】
操作部１０２１は、例えば、タッチパネルにより構成され、ユーザから、印刷物の印刷に関する種々の操作を受け付ける。
【００１５】
排紙トレイ１０２２は、鍵等により施錠可能な印刷物の排紙トレイであり、ユーザからの操作により画像形成装置１０２から印刷された印刷物を保持する。図１では、排紙トレイ１０２２ａ、１０２２ｂの２つの排紙トレイが設けられているが、その数は任意である。
【００１６】
胴内排紙部１０２３は、画像形成装置１０２から印刷された印刷物の排紙先となるユニットであり、排紙トレイ１０２２が使用中の場合における印刷物の出力先となる。
【００１７】
操作機器１０３は、ユーザが画像形成装置１０２により印刷する印刷物のデータを保管する機器であり、ユーザから、無線通信を介して、印刷物の印刷に関する種々の操作を受け付ける。図１では、操作機器１０３として、リモコン等のコントローラである操作機器１０３ａ、ＰＣ等の情報処理装置である操作機器１０３ｂ、スマートフォン等の携帯端末である操作機器１０３ｃを例示しているが、これに限らず、無線通信が可能な様々な機器を用いてよい。操作機器１０３は、例えば、店舗内の所定の領域Ｒに、パーティションＰを介したブースにおいて接続可能となっている。
【００１８】
図２は、図１に示した印刷システムの画像形成装置、操作機器のハードウェア構成を示す図である。図２に示すように、画像形成装置１０２は、操作部１０２１と、コントローラ２０１と、スキャナ部２０２と、プリンタ部２０３と、排紙トレイ１０２２ａ、１０２２ｂとを有している。なお、図２では特に例示していないが、実際には、例えば、ＯＳ（Operating System）、アプリケーションプログラム、各種データ等を記憶する不揮発性の記憶装置であり、例えば、ＨＤＤ（Hard Disk Drive）や、ＳＳＤ（Solid State Drive）等のストレージ部を有している。
【００１９】
操作部１０２１は、ＬＣＤ５０１と、キースイッチ５０２と、ＡＳＩＣ５０３とを有している。
【００２０】
ＬＣＤ５０１は、操作画面を表示するディスプレイである。キースイッチ５０２は、操作部１０２１をＯＮ状態またはＯＦＦ状態に切り替えるスイッチである。ＡＳＩＣ５０３は、ユーザからの操作やコントローラ２０１からの指示にしたがって操作部１０２１を制御する回路である。ＡＳＩＣ５０３には、ＬＣＤ５０１、キースイッチ５０２、コントローラ２０１との間でデータを受け渡しするインタフェース５０３１〜５０３３がそれぞれ設けられている。
【００２１】
コントローラ２０１は、画像形成装置１０２を制御する装置である。図２に示すように、コントローラ２０１は、ＣＰＵ６０１（制御部）と、ＲＡＭ６０２と、ＲＯＭ６０３と、ＡＳＩＣ６０４とを有する。
【００２２】
ＣＰＵ６０１は、ＲＡＭ６０２をワークエリア（作業領域）としてＲＯＭ６０３等に格納されたプログラムを実行することで、画像形成装置１０２全体の動作を制御する。例えば、ＣＰＵ６０１は、ＡＳＩＣ６０４を用いて、スキャナ部２０２のスキャン機能、プリンタ部２０３のプリント機能などの各種機能を実現する。
【００２３】
ＲＡＭ６０２は、ＣＰＵ６０１のワークエリア等として用いられる揮発性のメモリである。
【００２４】
ＲＯＭ６０３は、例えば、画像形成装置１０２の起動時に実行されるＢＩＯＳ（Basic Input/Output System）や、各種の設定等を記憶する不揮発性のメモリである。
【００２５】
ＡＳＩＣ６０４は、コピー機能、スキャナ機能、ファクス機能、及びプリンタ機能等の機能を実現させるための、汎用的な情報処理及び通信以外の処理を行うハードウェアである。ＡＳＩＣ６０４には、例えば、原稿の画像をスキャンして読み取るスキャナ、用紙等のシート材への印刷を行うプロッタ等が含まれる。さらに、ＡＳＩＣ６０４には、印刷済みシート材を仕分けるフィニッシャや、原稿を自動給送するＡＤＦ（自動原稿給送装置）のような特定のオプションが含まれていても良い。
【００２６】
ＡＳＩＣ６０４には、ＣＰＵ６０１、ＲＡＭ６０２、ＲＯＭ６０３の間でデータを受け渡しするインタフェース６０４１〜６０４３がそれぞれ設けられている。また、操作部１０２１をはじめとする他の機器との間で通信してデータを受け渡しするインタフェース６０４４〜６０５１がそれぞれ設けられている。なお、図２では、撮像装置１０１が直接画像形成装置１０２に接続されている場合を例示しているが、図１のようにネットワークＮ１を介して接続してもよい。また、認証装置インタフェース６０４６は、画像形成装置１０２のユーザを認証するためのインタフェースであり、認証装置８００（例えば、ＩＣカードユニット、指紋認証や静脈認証等を行う生体認証装置）に接続される。
【００２７】
スキャナ部２０２は、ＡＳＩＣ６０４の制御により、用紙や書類等の対象物をスキャンするスキャナである。
【００２８】
プリンタ部２０３は、ＡＳＩＣ６０４の制御により、用紙や書類等の対象物を印刷するプリンタである。
【００２９】
排紙トレイ１０２２ａ、１０２２ｂは、プリンタ部２０３により印刷された印刷物を受け取るためのトレイである。後述するように、これらの排紙トレイ１０２２のそれぞれには、ＣＰＵ６０１の制御により電気的に施錠や解錠が可能なキーを有している。また、これらの排紙トレイ１０２２は、それぞれ、印刷物の出力状態等を知らせるための表示部９０１である表示装置（例えば、ＬＥＤ）、排紙トレイ１０２２の開閉時の認証を行うための入力部９０２である認証機器（例えば、認証装置７０２や認証装置８００に設けられたＩＣカードリーダユニットの認証、指紋認証や静脈認証等を行う生体認証装置）が設けられている。表示部９０１を有することで、印刷物が入った排紙トレイやユーザが受け取るべき排紙トレイを直感的に認識することができ、印刷物のスムーズな受け取り可能となる。
【００３０】
図２に示すように、操作機器１０３ａは、操作部７０１と、認証装置７０２とを有している。操作部７０１は、ＡＳＩＣ７０６、ＬＣＤ７０７、キースイッチ７０８、ＲＯＭ７０９、ＲＡＭ７１０を有している。ＡＳＩＣ７０６は、ＬＣＤ７０７、キースイッチ７０８、ＲＯＭ７０９、ＲＡＭ７１０のそれぞれに対するインタフェース７０６１〜７０６５を有している。図２では、操作機器１０３ａについて説明しているが、操作機器１０３ｂ、１０３ｃについても同様の機能を有しているものとする。
【００３１】
操作部７０１は、ユーザの操作に応じた各種の入力を受け付けると共に、各種の情報を表示するパネルである。
【００３２】
ＡＳＩＣ７０６は、操作機器１０３ａの機能を実現させるための、汎用的な情報処理及び通信以外の処理を行うハードウェアである。
【００３３】
ＬＣＤ７０７は、タッチパネル機能を有したパネルである。
【００３４】
キースイッチ７０８は、利用者から印刷指示等の各種の情報を入力するためのキースイッチ７０８、ＲＯＭ７０９は、例えば、操作機器１０３ａの起動時に実行されるＢＩＯＳや、各種の設定等を記憶する不揮発性のメモリである。
【００３５】
ＲＡＭ７１０は、ＡＳＩＣ７０６のワークエリア等として用いられる揮発性のメモリである。
【００３６】
認証装置７０２は、操作機器１０３ａのユーザを認証するためのインタフェースであり、例えば、図示しないＩＣカードリーダユニット、指紋認証や静脈認証等を行う生体認証装置に接続される。
【００３７】
図１、２では、画像形成装置１０２が２つの排紙トレイ１０２２を有しているが、その配置は、必ずしも２つが同じ向きにトレイを引き出すように取り出し口が配置されていなくてもよい。例えば、図３に示すように、排紙トレイ１０２２ａの取り出し口をあるユーザＵ２の側に引き出し可能とし、排紙トレイ１０２２ｂの取り出し口を他のユーザＵ３またはＵ４の側に引き出し可能としてもよい。また、例えば、画像形成装置１０２の操作部１０２１を操作しているユーザＵ１との関係で、当該操作部１０２１と同じ側の向きに引き出すように配置されなくてもよい。例えば、排紙トレイ１０２２ａの取り出し口をユーザＵ３の側に引き出し可能とし、排紙トレイ１０２２ｂの取り出し口を、ユーザＵ３とは異なる他のユーザＵ４の側に引き出し可能としてもよい。このような配置により、ユーザＵ３、Ｕ４が排紙トレイから書類を取り出したときにも、操作部１０２１を操作するユーザＵ１からその書類が盗み見られるリスクを低減することができる。また、複数人で同時にそれぞれの排紙トレイから印刷物を取り出すことができる。
【００３８】
図４は、本実施例における印刷システムで行われる処理（印刷指示から印刷、トレイロックまで）の処理手順を示すフローチャートである。以下では、操作機器１０３ａについて説明しているが、操作機器１０３ｂ、１０３ｃについても同様に考えることができる。
【００３９】
図４では、まず、ユーザは、操作機器１０３（例えば、操作機器１０３ａ）の認証装置７０２を用いて当該操作機器１０３ａを使用可能なユーザであることの認証を行う。また、ユーザは、認証装置８００を用いて画像形成装置１０２を使用可能なユーザであることの認証（ログイン認証）を行う（Ｓ１）。
【００４０】
例えば、操作機器１０３ａの認証装置７０２は、ユーザから入力された生体情報と、登録済みの生体情報とが一致するか否かを判定することにより、操作機器１０３ａを使用するユーザを認証する。また、認証装置８００は、あらかじめ登録されたユーザ所有のＩＣカードが入力されたか否か、あるいはユーザから入力された生体情報と、登録済みの生体情報とが一致するか否かを判定することにより、画像形成装置１０２を使用するユーザを認証する。
【００４１】
なお、本処理では、操作機器１０３および画像形成装置１０２でユーザを認証する場合を例示したが、例えば、操作機器１０３において、ユーザが、画像形成装置１０２と無線通信可能なＩＣカード等の認証用媒体を用いて認証を行った場合には、ＣＰＵ６０１が、当該認証用媒体や画像形成装置１０２の位置、あるいは両者の距離が、後述するステップＳ４における所定の関係にあるか否かを判定してもよい。
【００４２】
操作機器１０３ａのＡＳＩＣ７０６は、ユーザが認証されると、キースイッチ７０８から受け付けた書類の印刷指示を読み取り（Ｓ２）、その入力が完了したか否かを判定する（Ｓ３）。上記書類は、例えば、操作機器１０３ａのＲＡＭ７１０等の記憶部にあらかじめ記憶されている。操作機器１０３ａのＡＳＩＣ７０６は、上記印刷指示の入力が完了したと判定した場合（Ｓ３；Ｙｅｓ）、入力完了通知を画像形成装置１０２に送信し、画像形成装置１０２のＡＳＩＣ６０４が当該通知を受信する。ＣＰＵ６０１は、ＡＳＩＣ６０４が受信した上記通知を確認すると、撮像装置１０１から撮像データを受信し、ユーザと画像形成装置１０２との位置関係が所定の関係にあるか否かを判定する（Ｓ４）。
【００４３】
例えば、ＣＰＵ６０１は、ユーザが画像形成装置１０２に対して決められた位置（例えば、排紙トレイ１０２２の前）や範囲（例えば、排紙トレイ１０２２の周囲５０センチメートルの範囲）に移動したか否かを判定する。当該判定は、ＣＰＵ６０１が、上記撮像データを、従来から知られている画像解析を用いて、撮像データの中からユーザと画像形成装置１０２とを抽出し、両者の位置や距離を算出することにより実現すればよい。また、撮像データ中のユーザが、上記印刷指示を行ったユーザであるか否かについては、例えば、ＣＰＵ６０１が、画像解析を行う等により、撮像データの中で、上記入力完了通知が送信された時刻における操作機器１０３ａ前のユーザを認識し、認識した当該ユーザが排紙トレイ１０２２前にいる場合には、そのユーザが上記印刷指示を行ったユーザであると判定すればよい。
【００４４】
ＣＰＵ６０１は、ユーザと画像形成装置１０２との位置関係が所定の関係にあると判定した場合（Ｓ４；Ｙｅｓ）、排紙トレイ１０２２の上段（排紙トレイ１０２２ａ）が空いているか否かを判定する（Ｓ５）。なお、ＣＰＵ６０１は、ユーザと画像形成装置１０２との位置関係が所定の関係にないと判定した場合（Ｓ４；Ｎｏ）、そのまま待機する。
【００４５】
ＣＰＵ６０１は、排紙トレイ１０２２の上段（排紙トレイ１０２２ａ）が空いていると判定した場合（Ｓ５；Ｙｅｓ）、Ｓ１０に進み、排紙トレイ１０２２ａが開かないようにロックを行うとともに、その旨を操作部１０２１に表示する。
【００４６】
本例では、ロックされた旨が操作部１０２１に表示される場合を例示しているが、排紙トレイ１０２２に設けられた表示部９０１にその旨（あるいはロックが解除された場合には解除された旨）を表示してもよい。これにより、ユーザは直感的に排紙トレイのロック開閉を認識することができ、スムーズに受け取り可能となる。
【００４７】
また、ＣＰＵ６０１は、排紙トレイ１０２２ａがロックされたことを検知すると、上記印刷指示された書類の印刷を行い、排紙トレイ１０２２ａに出力するとともに、印刷が完了した旨を操作部１０２１に表示する（Ｓ１０）。排紙トレイ１０２２ａは、ＣＰＵ６０１の制御により電気的に施錠や解錠が可能なキーを有している。
【００４８】
ＣＰＵ６０１は、排紙トレイ１０２２の上段（排紙トレイ１０２２ａ）が空いていないと判定した場合（Ｓ５；Ｎｏ）、排紙トレイ１０２２の下段（排紙トレイ１０２２ｂ）が空いているか否かを判定する（Ｓ６）。ＣＰＵ６０１は、排紙トレイ１０２２ｂが空いていると判定した場合（Ｓ６；Ｙｅｓ）、Ｓ９に進み、排紙トレイ１０２２ｂが開かないようにロックを行うとともに、その旨を操作部１０２１に表示する。また、ＣＰＵ６０１は、排紙トレイ１０２２ｂがロックされたことを検知すると、上記印刷指示された書類の印刷を行い、排紙トレイ１０２２ｂに出力するとともに、印刷が完了した旨を操作部１０２１に表示する（Ｓ９）。排紙トレイ１０２２ｂは、ＣＰＵ６０１の制御により電気的に施錠や解錠が可能なキーを有している。
【００４９】
ＣＰＵ６０１は、排紙トレイ１０２２ｂが空いていないと判定した場合（Ｓ６；Ｎｏ）、排紙トレイ１０２２に空きがないと判断し、胴内排紙部１０２３に出力するか否かを判定する（Ｓ７）。胴内排紙部１０２３に出力するか否かの判定は、例えば、ＣＰＵ６０１が、操作部１０２１や操作機器１０３ａの操作部７０１に、胴内排紙部１０２３に出力するか否かを問い合わせるメッセージを表示し、ユーザからいずれかの選択を受け付け、その結果により判定すればよい。上記メッセージとしては、例えば、「胴内排紙を実行しますか？実行する場合は「はい」ボタン、実行しない場合は「いいえ」ボタンを押下してください。」といった、胴内排紙部１０２３に出力するか否かを選択させる内容であればよい。
【００５０】
ＣＰＵ６０１は、胴内排紙部１０２３に出力しない（すなわち、上記「いいえ」が選択された）と判定した場合（Ｓ７；Ｎｏ）、ステップＳ５に戻って、排紙トレイ１０２２ａ、１０２２ｂのいずれかが空くまで待機する。これにより、印刷物の意図しない出力（例えば、同じトレイへの複数の印刷物の出力）を避けることができる。一方、ＣＰＵ６０１は、胴内排紙部１０２３に出力する（すなわち、上記「はい」が選択された）と判定した場合（Ｓ７；Ｙｅｓ）、胴内排紙部１０２３に書類を出力する（Ｓ８）。
【００５１】
なお、上記実施例では、ユーザからの指示に従って胴内排紙部１０２３に書類を出力するか否かを判定したが、排紙トレイ１０２２ａ、１０２２ｂが空いていない場合には強制的に胴内排紙部１０２３に書類を出力する設定を可能としてもよい。これにより、画像形成装置１０２内で待機する印刷ジョブを減らすことができる。さらには、ＣＰＵ６０１が、撮像データを画像解析して、胴内排紙部１０２３の前にユーザ以外の人がいるか否かを判定し、胴内排紙部１０２３の前にユーザ以外の人がいないと判定した場合に、胴内排紙部１０２３に書類を出力してもよい。これにより、胴内排紙部１０２３付近にいる人にユーザが印刷した書類を盗み見られるリスクを低減できる。
【００５２】
また、画像形成装置１０２のＣＰＵ６０１は、書類の出力を開始して排紙トレイ１０２２のキーをロックした際に、排紙トレイ１０２２に設けられた表示部９０１（例えば、ＬＥＤ）を点滅させることで、書類が出力中であることをユーザに知らせてもよい。さらに、ＣＰＵ６０１は、書類の印刷が完了した場合には、上記表示部９０１を点灯させることで、書類の出力が完了したことをユーザに知らせてもよい。なお、これらの表示は、操作部１０２１や操作機器１０３ａに対して行ってもよい。
【００５３】
図４に示した処理が終了すると、ＣＰＵ６０１は、排紙トレイ１０２２に備えられた入力装置で、ユーザが確認できれば排紙トレイ１０２２のロックを解除し、ユーザは、印刷物を受け取ることが可能となる。ユーザは、排紙トレイ１０２２から書類等の印刷物を受け取ることが可能となる。
【００５４】
図５は、本実施例における印刷システムで行われる処理（トレイロック解除、印刷物取出しまで）の処理手順を示すフローチャートである。
【００５５】
ＣＰＵ６０１は、書類を取り出すユーザが、排紙トレイ１０２２に設けられた認証機器（例えば、認証装置７０２や認証装置８００に設けられたＩＣカードリーダユニット、指紋認証や静脈認証等を行う生体認証装置）を用いて、印刷指示を行ったユーザであるか否か、すなわちユーザの認証がＯＫか否かを判定する（Ｓ１１）。印刷指示を行ったユーザであるか否かの判定は、例えば、ＣＰＵ６０１が、図４のＳ１で認証したユーザの生体情報と、排紙トレイ１０２２に設けられた認証機器から入力された生体情報とが一致するか否かを判定することにより、印刷指示を行ったユーザであるか否かを判定すればよい。
【００５６】
ＣＰＵ６０１は、書類を取り出すユーザが、印刷指示を行ったユーザであると判定した場合（Ｓ１１；Ｙｅｓ）、書類が出力された排紙トレイ１０２２のロックを解除し（Ｓ２）、さらに、当該排紙トレイ１０２２から印刷物が取り出されたか否かを判定する（Ｓ３）。認証されたユーザを特定することで、セキュアに印刷物の受け取りが可能となる。また、社員証や免許証などのＩＣカードを用いてユーザを認証することで、セキュアな状態で印刷物の取り出しが容易になる。また、生体情報によりユーザが認証された場合には、ＩＣカードの入力等の操作を不要としつつ、セキュアな状態で印刷物の取り出しが容易になる。
【００５７】
なお、ＣＰＵ６０１は、書類を取り出すユーザが、印刷指示を行ったユーザでないと判定した場合（Ｓ１１；Ｎｏ）、ロックを解除せずにそのまま待機する。また、当該排紙トレイ１０２２から印刷物が取り出されたか否かの判定は、例えば、排紙トレイ１０２２に設けられた遮光センサが検知状態にある場合には、当該排紙トレイ１０２２内に印刷物があると判定し、排紙トレイ１０２２に設けられた遮光センサが検知状態から検知状態でなくなった場合に、当該排紙トレイ１０２２内に印刷物が取り出されたと判定すればよい。
【００５８】
ＣＰＵ６０１は、当該排紙トレイ１０２２から印刷物が取り出されたと判定した場合（Ｓ３；Ｙｅｓ）、例えば、排紙トレイ１０２２に設けられた表示部９０１（例えば、ＬＥＤ）を、点灯状態から再び点滅状態にする等、排紙トレイ１０２２の状態に応じて表示部９０１の状態を変化させる（Ｓ１４）。
【００５９】
ＣＰＵ６０１は、表示部９０１の状態を変化させると、印刷物が取り出された排紙トレイ１０２２のカバー（蓋）が閉まっているか否かを判定する（Ｓ１５）。当該カバーが閉まっているか否かは、例えば、ＣＰＵ６０１が、排紙トレイ１０２２に設けられた開閉センサにより判定すればよい。
【００６０】
ＣＰＵ６０１は、印刷物が取り出された排紙トレイ１０２２のカバー（蓋）が閉まっていると判定した場合（Ｓ１５；Ｙｅｓ）、例えば、排紙トレイ１０２２に設けられた表示部９０１（例えば、ＬＥＤ）を、点滅状態から再び消灯状態にする等、印刷物を印刷する前の状態に戻す（Ｓ１６）。なお、ＣＰＵ６０１は、印刷物が取り出された排紙トレイ１０２２のカバー（蓋）が閉まっていないと判定した場合（Ｓ１５；Ｎｏ）、そのままカバーが閉まるまで待機する。
【００６１】
このように、図４、５に示した制御を行うことにより、数が限られたセキュアな排紙トレイを効率よく使用することができ、１台の画像形成装置を、複数人でより効率的に使用することができる。すなわち、従来技術と異なり、画像形成装置とユーザの位置を認識することで、セキュアな排紙トレイに出力するタイミングを制御し、より効率的に排紙トレイを使用することが可能となる。例えば、ユーザが操作機器１０３での印刷指示の入力を完了し、操作機器１０３から離れた位置に配置された画像形成装置１０２まで印刷物を取りに向かい、画像形成装置１０２とユーザとの距離がある程度近づいた場合に、印刷を開始することが可能となり、排紙トレイ１０２２を有効に活用できる。また、ユーザが画像形成装置１０２の前に立ったときには、既に印刷が開始されている、あるいは完了しているため、印刷待ち時間を低減することが可能となる。
【００６２】
本発明は、上記実施の形態そのままに限定されるものではなく、実施段階ではその要旨を逸脱しない範囲で構成要素を変形して具体化したり、上記実施の形態に開示されている複数の構成要素を適宜組み合わせて実施することができる。
【符号の説明】
【００６３】
１０００  印刷システム
１０１  撮像装置
１０２  画像形成装置
１０２１  操作部
１０２２  排紙トレイ
２０１  コントローラ
２０２  スキャナ部
２０３  プリンタ部
１０３  操作機器
７０１  操作部
７０２  認証装置
９０１  表示部
９０２  入力部
【先行技術文献】
【特許文献】
【００６４】
【特許文献１】特開２０１５−１３９０３８号公報
【図１】
2020116865.tif 000003
【図２】
2020116865.tif 000004
【図３】
2020116865.tif 000005
【図４】
2020116865.tif 000006
【図５】
2020116865.tif 000007